【手続補正書】
【提出日】平成19年9月3日(2007.9.3)
【手続補正１】
【補正対象書類名】明細書
【補正対象項目名】特許請求の範囲
【補正方法】変更
【補正の内容】
【特許請求の範囲】
【請求項１】  ブラックインク及びカラーインクを交互に重ねる順番が異なる画像を含む多色画像を記録する方法であって、
該ブラックインクが、塩、水性媒体及びイオン性基の作用によって該水性媒体に分散させられている顔料を含み、ブリストウ法におけるＫａ値が１．５ｍＬ・ｍ-2・ｍｓｅｃ-1/2未満のインクであり、該カラーインクが染料を含むことを特徴とする多色の画像を記録する方法。
【請求項２】  該カラーインクがブリストウ法におけるＫａ値が５ｍＬ・ｍ-2・ｍｓｅｃ-1/2以上のインクである請求項１に記載の方法。
【請求項３】  該ブラックインクが、ブリストウ法におけるＫａ値が０．２以上１．５ｍＬ・ｍ-2・ｍｓｅｃ-1/2未満のインクである請求項２記載の方法。
【請求項４】  該塩は、（Ｍ１）2ＳＯ4、ＣＨ3ＣＯＯ（Ｍ１）、Ｐｈ−ＣＯＯ（Ｍ１）、（Ｍ１）ＮＯ3、（Ｍ１）Ｃｌ、（Ｍ１）Ｂｒ、（Ｍ１）Ｉ、（Ｍ１）2ＳＯ3および（Ｍ１）2ＣＯ3から選ばれるもの（Ｍ１はアルカリ金属、アンモニウムまたは有機アンモニウムを表し、Ｐhはフェニル基を表す）である請求項１〜３の何れかに記載の方法。
【請求項５】  前記ブラックインクの顔料は、カーボンブラックであり、前記カーボンブラックは表面に少なくとも１種の親水性基が前記イオン性の基として該カーボンブラックの表面に直接もしくは他の原子団を介して結合しているものである請求項１〜４の何れかに記載の方法。
【請求項６】  該ブラックインクが、該イオン性基としてアニオン性基を含むブラックインクであり、該カラーインクが該添加剤として多価金属塩を含むカラーインクである請求項１〜５の何れかに記載の方法。
【請求項７】  該多価金属塩がＭｇ2+、Ｃａ2+、Ｃｕ2+、Ｃｏ2+、Ｎｉ2+、Ｆｅ2+、Ｌａ3+、Ｎｄ3+、Ｙ3+およびＡｌ3+から選ばれる少なくとも１つの多価金属陽イオンからなる多価金属塩を含む請求項６記載の方法。
【請求項８】  ブラックインク及びカラーインクを個別に具備したインクジェット記録ヘッドを用いて、該ブラックインク及び該カラーインクを交互に重ねる順番が異なる画像を含む多色画像の品質を改善する方法であって、
該ブラックインクとして、塩、水性媒体及びイオン性基の作用によって該水性媒体に分散させられている顔料を含み、ブリストウ法におけるＫａ値が１．５ｍＬ・ｍ-2・ｍｓｅｃ-1/2未満のインクであるブラックインクおよび、染料を含むカラーインクを用いることを特徴とする多色画像の画質の品質を改善する方法。
【請求項９】  該カラーインクがブリストウ法に於けるＫａ値が５ｍＬ・ｍ-2・ｍｓｅｃ-1/2以上のインクである請求項８に記載の方法。
【請求項１０】  該ブラックインクが、ブリストウ法におけるＫａ値が０．２以上１．５ｍＬ・ｍ-2・ｍｓｅｃ-1/2未満のインクである請求項９に記載の方法。
【請求項１１】  該塩は、（Ｍ１）2ＳＯ4、ＣＨ3ＣＯＯ（Ｍ１）、Ｐｈ−ＣＯＯ（Ｍ１）、（Ｍ１）ＮＯ3、（Ｍ１）Ｃｌ、（Ｍ１）Ｂｒ、（Ｍ１）Ｉ、（Ｍ１）2ＳＯ3および（Ｍ１）2ＣＯ3から選ばれるもの（Ｍ１はアルカリ金属、アンモニウムまたは有機アンモニウムを表し、Ｐhはフェニル基を表す）である請求項８〜１０の何れかに記載の方法。
【請求項１２】  前記ブラックインクの色材は、カーボンブラックであり、前記カーボンブラックは表面に少なくとも１種の親水性基が前記イオン性の基として該カーボンブラックの表面に直接もしくは他の原子団を介して結合しているものである請求項８〜１１の何れかに記載の方法。
【請求項１３】  該ブラックインクが、該イオン性基としてアニオン性基を含むブラックインクであり、該カラーインクが該成分として多価金属塩を含むカラーインクである請求項８〜１２の何れかに記載の方法。
【請求項１４】  該多価金属塩がＭｇ2+、Ｃａ2+、Ｃｕ2+、Ｃｏ2+、Ｎｉ2+、Ｆｅ2+、Ｌａ3+、Ｎｄ3+、Ｙ3+およびＡｌ3+から選ばれる少なくとも１つの多価金属陽イオンからなる多価金属塩を含む請求項１３に記載の方法。
【請求項１５】  （ｉ）ブラックインクおよびカラーインクを各々個別に被記録材に対して吐出するインクジェット記録ヘッド；及び
（ｉｉ）被記録材を該記録ヘッドによる記録位置に搬送する手段；及び
を備えた画像記録装置において、
該ブラックインクが、塩、水性媒体およびイオン性基の作用によって該水性媒体に分散させられている顔料を含み、
該カラーインクが該ブラックインクと混合されたときに該ブラックインク中の顔料の分散安定性を不安定化させる成分としての該染料を含み、もしくは染料及び該ブラックインクと混合されたときに該ブラックインク中の顔料の分散安定性を不安定化させる添加剤を含み、もしくは該顔料の分散安定性を不安定化させる染料と該添加剤とを含むことを特徴とする画像記録装置。
【請求項１６】  該ブラックインクが、ブリストウ法におけるＫａ値が１．５ｍＬ・ｍ-2・ｍｓｅｃ-1/2未満のインクであり、
該カラーインクがブリストウ法におけるＫａ値が５ｍＬ・ｍ-2・ｍｓｅｃ-1/2以上のインクである請求項１５に記載の画像記録装置。
【請求項１７】  該ブラックインクが、ブリストウ法におけるＫａ値が０．２以上１．５ｍＬ・ｍ-2・ｍｓｅｃ-1/2未満のインクである請求項１６に記載の画像記録装置。
【請求項１８】  該塩は、（Ｍ１）2ＳＯ4、ＣＨ3ＣＯＯ（Ｍ１）、Ｐｈ−ＣＯＯ（Ｍ１）、（Ｍ１）ＮＯ3、（Ｍ１）Ｃｌ、（Ｍ１）Ｂｒ、（Ｍ１）Ｉ、（Ｍ１）2ＳＯ3および（Ｍ１）2ＣＯ3から選ばれるもの（Ｍ１はアルカリ金属、アンモニウムまたは有機アンモニウムを表し、Ｐhはフェニル基を表す）である請求項１５〜１７の何れかに記載の画像記録装置。
【請求項１９】  前記ブラックインクの色材は、カーボンブラックであり、前記カーボンブラックは表面に少なくとも１種の親水性基が前記イオン性の基として該カーボンブラックの表面に直接もしくは他の原子団を介して結合しているものである請求項１５〜１８の何れかに記載の画像記録装置。
【請求項２０】  該ブラックインクが、該イオン性基としてアニオン性基を含むブラックインクであり、該カラーインクが該添加剤として多価金属塩を含むカラーインクである請求項１５〜１９の何れかに記載の画像記録装置。
【請求項２１】  該多価金属塩がＭｇ2+、Ｃａ2+、Ｃｕ2+、Ｃｏ2+、Ｎｉ2+、Ｆｅ2+、Ｌａ3+、Ｎｄ3+、Ｙ3+およびＡｌ3+から選ばれる少なくとも１つの多価金属陽イオンからなる多価金属塩を含む請求項２０に記載の画像記録装置。
【請求項２２】  ブラックインクおよびカラーインクの組み合わせを含むインクセットであって、
該ブラックインクは、塩、水性媒体及びイオン性基の作用によって該水性媒体に分散している顔料を含み、
該カラーインクは、該ブラックインクと混合されたときに該ブラックインク中の顔料の分散安定性を不安定化させる染料を含み、もしくは該ブラックインクと混合されたときに該ブラックインク中の顔料の分散安定性を不安定化させる添加剤を含み、もしくは該染料と該添加剤とを含んでいることを特徴とするインクセット。
【請求項２３】  該ブラックインクのブリストウ法におけるＫａ値が１．５ｍＬ・ｍ-2・ｍｓｅｃ-1/2未満であり、
該カラーインクがブリストウ法におけるＫａ値が５ｍＬ・ｍ-2・ｍｓｅｃ-1/2以上である請求項２２に記載のインクセット。
【請求項２４】  該ブラックインクのブリストウ法におけるＫａ値が０．２以上１．５ｍＬ・ｍ-2・ｍｓｅｃ-1/2未満である請求項２３に記載のインクセット。
【請求項２５】  該塩は、（Ｍ１）2ＳＯ4、ＣＨ3ＣＯＯ（Ｍ１）、Ｐｈ−ＣＯＯ（Ｍ１）、（Ｍ１）ＮＯ3、（Ｍ１）Ｃｌ、（Ｍ１）Ｂｒ、（Ｍ１）Ｉ、（Ｍ１）2ＳＯ3および（Ｍ１）2ＣＯ3から選ばれるもの（Ｍ１はアルカリ金属、アンモニウムまたは有機アンモニウムを表し、Ｐhはフェニル基を表す）である請求項２２〜２４の何れかに記載のインクセット。
【請求項２６】  前記ブラックインクの顔料は、カーボンブラックであり、前記カーボンブラックは表面に少なくとも１種の親水性基が前記イオン性の基として該カーボンブラックの表面に直接もしくは他の原子団を介して結合しているものである請求項２２〜２５の何れかに記載のインクセット。
【請求項２７】  該ブラックインクが、該イオン性基としてアニオン性基を含むブラックインクであり、該カラーインクが該添加剤として多価金属塩を含むカラーインクである請求項２２〜２６の何れかに記載のインクセット。
【請求項２８】  該多価金属塩がＭｇ2+、Ｃａ2+、Ｃｕ2+、Ｃｏ2+、Ｎｉ2+、Ｆｅ2+、Ｌａ3+、Ｎｄ3+、Ｙ3+およびＡｌ3+から選ばれる少なくとも１つの多価金属陽イオンからなる多価金属塩を含む請求項２７に記載のインクセット。
【請求項２９】  ブラックインクを収容したブラックインク収容部、該ブラックインクを吐出させるインクジェットヘッド、カラーインクを収容したカラーインク収容部および該カラーインクを吐出させるインクジェットヘッドを備えている記録ユニットであって、
該ブラックインクは、塩、水性媒体及びイオン性基の作用によって該水性媒体に分散している顔料を含み、
該カラーインクは、該ブラックインクと混合されたときに該ブラックインク中の顔料の分散安定性を不安定化させる染料を含み、もしくは該ブラックインクと混合されたときに該ブラックインク中の色材の分散安定性を不安定化させる添加剤を含み、もしくは該染料と該添加剤とを含んでいることを特徴とする記録ユニット。
【請求項３０】  該ブラックインクのブリストウ法におけるＫａ値が１．５ｍＬ・ｍ-2・ｍｓｅｃ-1/2未満であり、
該カラーインクがブリストウ法に於けるＫａ値が５ｍＬ・ｍ-2・ｍｓｅｃ-1/2以上である請求項２９に記載の記録ユニット。
【請求項３１】  該ブラックインクのブリストウ法におけるＫａ値が０．２以上１．５ｍＬ・ｍ-2・ｍｓｅｃ-1/2未満である請求項３０に記載の記録ユニット。
【請求項３２】  該塩は、（Ｍ１）2ＳＯ4、ＣＨ3ＣＯＯ（Ｍ１）、Ｐｈ−ＣＯＯ（Ｍ１）、（Ｍ１）ＮＯ3、（Ｍ１）Ｃｌ、（Ｍ１）Ｂｒ、（Ｍ１）Ｉ、（Ｍ１）2ＳＯ3および（Ｍ１）2ＣＯ3から選ばれるもの（Ｍ１はアルカリ金属、アンモニウムまたは有機アンモニウムを表し、Ｐhはフェニル基を表す）である請求項２９〜３１の何れかに記載の記録ユニット。
【請求項３３】  前記ブラックインクの顔料は、カーボンブラックであり、前記カーボンブラックは表面に少なくとも１種の親水性基が前記イオン性の基として該カーボンブラックの表面に直接もしくは他の原子団を介して結合しているものである請求項２９〜３３の何れかに記載の記録ユニット。
【請求項３４】  該ブラックインクが、該イオン性基としてアニオン性基を含むブラックインクであり、該カラーインクが該添加剤として多価金属塩を含むカラーインクである請求項２９〜３３の何れかに記載の記録ユニット。
【請求項３５】  該多価金属塩がＭｇ2+、Ｃａ2+、Ｃｕ2+、Ｃｏ2+、Ｎｉ2+、Ｆｅ2+、Ｌａ3+、Ｎｄ3+、Ｙ3+およびＡｌ3+から選ばれる少なくとも１つの多価金属陽イオンからなる多価金属塩を含む請求項３４に記載の記録ユニット。
【手続補正２】
【補正対象書類名】明細書
【補正対象項目名】００２０
【補正方法】変更
【補正の内容】
【００２０】
【課題を解決するための手段】
上記の目的を達成することのできる本発明の一実施態様にかかる画像記録方法は、ブラックインク及びカラーインクを交互に重ねる順番が異なる画像を含む多色画像を記録する方法であって、該ブラックインクが、塩、水性媒体及びイオン性基の作用によって該水性媒体に分散させられている顔料を含み、ブリストウ法におけるＫａ値が１．５ｍＬ・ｍ-2・ｍｓｅｃ-1/2未満のインクであり、該カラーインクが染料を含むことを特徴とするものである。
【手続補正３】
【補正対象書類名】明細書
【補正対象項目名】００２１
【補正方法】変更
【補正の内容】
【００２１】
また上記の目的を達成することのできる本発明の一実施態様にかかる多色画像の品質を改善する方法は、ブラックインク及びカラーインクを個別に具備したインクジェット記録ヘッドを用いて、該ブラックインク及び該カラーインクを交互に重ねる順番が異なる画像を含む多色画像の品質を改善する方法であって、
該ブラックインクとして塩、水性媒体及びイオン性基の作用によって該水性媒体に分散させられている顔料を含み、ブリストウ法におけるＫａ値が１．５ｍＬ・ｍ-2・ｍｓｅｃ-1/2未満のインクであるブラックインクおよび、染料を含むカラーインクを用いることを特徴とするものである。
【手続補正４】
【補正対象書類名】明細書
【補正対象項目名】００２２
【補正方法】変更
【補正の内容】
【００２２】
また上記の目的を達成することのできる本発明の一実施態様にかかる画像記録装置は、（ｉ）ブラックインクおよびカラーインクを各々個別に被記録材に対して吐出するインクジェット記録ヘッド；及び
（ｉｉ）被記録材を該記録ヘッドによる記録位置に搬送する手段；及び
を備えた画像記録装置において、
該ブラックインクが塩、水性媒体およびイオン性基の作用によって該水性媒体に分散させられている顔料を含み、
該カラーインクが該ブラックインクと混合されたときに該ブラックインク中の顔料の分散安定性を不安定化させる成分としての該染料を含み、もしくは染料及び該ブラックインクと混合されたときに該ブラックインク中の顔料の分散安定性を不安定化させる添加剤を含み、もしくは該顔料の分散安定性を不安定化させる染料と該添加剤とを含むことを特徴とするものである。